(57)【要約】【課題】ゴミを捨て易い電気掃除機を提供する。【解決手段】集塵ケース１０と、この集塵ケース１０内に出し入れ自在に設けられた塵埃収容器２０とを有する電気掃除機１において、塵埃収容器２０は、複数の側壁部を有して構成され、側壁部のうちの少なくとも１つの側壁部が、隣接する他の側壁部の辺部を支点として開閉自在であり、塵埃収容器２０は、集塵ケース１０の開口部から突出可能に設けられるとともに、集塵ケース１０から突出した際に、開閉自在な側壁部が他の側壁部に対して開き、集塵ケース１０に収め戻されることで、開閉自在な側壁部が他の側壁部に対して閉じることを特徴とする。【選択図】図４
2011182922.tif 000002
【特許請求の範囲】
【請求項１】
集塵ケースと、この集塵ケース内に出し入れ自在に設けられた塵埃収容器とを有する電気掃除機において、
前記塵埃収容器は、複数の側壁部を有して構成され、前記側壁部のうちの少なくとも１つの側壁部が、隣接する他の側壁部の辺部を支点として開閉自在であり、
前記塵埃収容器は、前記集塵ケースの開口部から突出可能に設けられるとともに、前記集塵ケースから突出した際に、開閉自在な前記側壁部が前記他の側壁部に対して開き、前記集塵ケースに収め戻されることで、開閉自在な前記側壁部が前記他の側壁部に対して閉じることを特徴とする電気掃除機。
【請求項２】
前記塵埃収容器は、前記集塵ケースに回動支点を中心として回動自在に設けられることで、前記開口部から突出可能であり、
開閉自在な前記側壁部は、前記塵埃収容器において、前記回動支点が設けられる側と対向する側に配置されていることを特徴とする請求項１に記載の電気掃除機。
【請求項３】
集塵ケースと、この集塵ケース内に出し入れ自在に設けられた塵埃収容器とを有する電気掃除機において、
前記塵埃収容器は、上側壁部とその他の側壁部とから構成され、前記上側壁部が、隣接する他の側壁部の辺部を支点として上下方向に開閉自在であり、
前記塵埃収容器は、前記集塵ケースの開口部から突出可能に設けられるとともに、前記集塵ケースから突出した際に、開閉自在な前記上側壁部が上方向に開き、前記集塵ケースに収め戻されることで、開閉自在な前記上側壁部が前記他の側壁部に対して下方向に閉じることを特徴とする電気掃除機。
【請求項４】
前記支点は、前記塵埃収容器が前記集塵ケースから突出した状態で、前記集塵ケースの外部に位置することを特徴とする請求項１から請求項３のいずれか１項に記載の電気掃除機。
【請求項５】
前記集塵ケースは、塵挨を廃棄する際に開かれる蓋部材を備えており、
前記蓋部材の内側には、前記塵埃収容器に向けて突出する突出部が設けられており、
前記突出部は、前記蓋部材を前記集塵ケースに閉じた状態で、前記塵埃収容器の前記側壁部の内側に沿うようにして配置されることを特徴とする請求項１から請求項４のいずれか１項に記載の電気掃除機。
【請求項６】
前記塵埃収容器の内側には、使い捨て式の集塵濾紙が配置されることを特徴とする請求項１から請求項５のいずれか１項に記載の電気掃除機。
【請求項７】
掃除機本体と、前記掃除機本体の集塵室に着脱自在な集塵ケースとを備えた電気掃除機において、
前記集塵ケースは、
吸込口と、
前記吸込口が形成された側とは反対側へ凹んだ立体的形状を有し、前記集塵ケースに対して開閉可能で、前記吸込口から吸い込まれた塵埃を捕集する捕集手段と、
前記捕集手段が前記集塵ケースに対して閉じた状態において、上下方向に薄い平板形状を有し、前記捕集手段を構成する側壁部の近傍でかつ前記側壁部に沿う方向に突出する突出手段と、を備えたことを特徴とする電気掃除機。
【請求項８】
前記捕集手段は、複数の前記側壁部を有しており、このうちの１つの前記側壁部を構成する下側壁部に対して、前記突出手段が沿う方向に突出していることを特徴とする請求項７に記載の電気掃除機。
【発明の詳細な説明】
【技術分野】
【０００１】
本発明は、電気掃除機に関し、特に、集塵ケースに集塵された塵埃の排出および集塵ケースの清掃が容易な電気掃除機に関するものである。
【背景技術】
【０００２】
従来、集塵ケースに集塵された塵埃の排出を容易にした電気掃除機として、例えば、特許文献１に記載されたものが知られている。
【０００３】
特許文献１に記載された電気掃除機では、掃除機の本体ケースに着脱自在な集塵ケースを備え、集塵ケースの下流側には、塵埃の濾過を目的としたフィルタ部を備えた皿状の貯留部が設けられている。
【０００４】
また、集塵ケース内に塵埃収容器が設けられたものも知られている（例えば、特許文献２参照）。
特許文献２に記載された電気掃除機では、集塵ケースの下流側に塵埃の濾過を目的としたフィルタ部を備え、その上流側に塵埃収容器が配置されている。
この電気掃除機では、塵埃収容器に集塵された塵埃が一杯になったら、本体ケースから集塵ケースを外し、前蓋部を開けることで塵埃収容器に溜まった塵埃を捨てるようになっている。
【先行技術文献】
【特許文献】
【０００５】
【特許文献１】特開２００８−１９４０８５号公報
【特許文献２】特開２００７−２４４４７７号公報
【発明の概要】
【発明が解決しようとする課題】
【０００６】
ところで、集塵ケース内に集塵された塵埃を捨てる際には、極力、塵埃に触れることなく捨てることが衛生上望ましい。
特許文献１に記載の発明では、捕集した塵埃を溜める貯留部を皿状に形成することで、塵埃を捨てようとして貯留部を開いた際に貯留部を水平にしなくとも、塵埃を不意にこぼすことなく捨てることができるという提案がなされている。しかしながら、捕集された塵埃は貯留部の平面状の底部に圧縮されるために、塵埃を捨てる際には外側へ拡がり易く埃が舞い易いため塵埃を捨て難いという問題があった。
【０００７】
また、特許文献１に記載の発明では、ティッシュペーパー等の使い捨て式の集塵濾紙を貯留部に用いることで塵埃を容易に捨てる提案がなされており、集塵ケースの内部にティッシュペーパーを貯留部の形状に沿うように押し付けるような区画リブを設けて、ティッシュペーパーが取り付けられるようになっている。しかしながら、区画リブは捕集した塵埃を挟み込むように形成されており、捨てる際に塵埃が引っ掛かって落ちにくいという問題があった。
【０００８】
特許文献２に記載の発明では、塵埃を捨てる際に塵埃収容器が集塵ケースから突出し、塵埃収容器が上下または左右に拡がるように開放することで塵埃を容易に排出する提案がなされている。しかしながら、奥行きのある塵埃収容器が上下または左右に拡がる構成であるため、塵埃を捨てる際の塵埃収容器の開きには限界があり、塵埃収容器の奥部分に塵埃が付着して残るおそれがあった。また、奥行きのある塵埃収容器内に付着した塵埃を清掃する際の使い勝手を向上させたいという要望もあった。
【０００９】
また、特許文献２に記載の発明では、塵埃を捕集する捕集手段としての塵埃収容器の上流側に、ティッシュペーパー等の使い捨て式の集塵濾紙を用いて塵埃収容器の汚れを軽減する提案がなされている。しかしながら、奥行きのある塵埃収容器内の壁面に沿ってティッシュペーパー等を取り付けるのが難しく、ティッシュペーパー等を取り付ける際に塵埃収容器の壁面との間に空間が形成されると塵埃吸引時にティッシュペーパー等が破けてしまうおそれもあった。
【００１０】
本発明は、前記従来の問題を解決するものであり、塵埃を捨て易く、使い勝手のよい電気掃除機を提供することを目的とする。
また、本発明は、前記従来の問題を解決するものであり、塵埃を捨て易く、使い捨て式の集塵濾紙を、塵埃を捕集する捕集手段に対して好適に配置できる電気掃除機を提供することを目的とする。
【課題を解決するための手段】
【００１１】
本発明は、集塵ケースと、この集塵ケース内に出し入れ自在に設けられた塵埃収容器とを有する電気掃除機において、前記塵埃収容器は、複数の側壁部を有して構成され、前記側壁部のうちの少なくとも１つの側壁部が、隣接する他の側壁部の辺部を支点として開閉自在であり、前記塵埃収容器は、前記集塵ケースの開口部から突出可能に設けられるとともに、前記集塵ケースから突出した際に、開閉自在な前記側壁部が前記他の側壁部に対して開き、前記集塵ケースに収め戻されることで、開閉自在な前記側壁部が前記他の側壁部に対して閉じることを特徴とする。
【００１２】
また、本発明は、掃除機本体と、前記掃除機本体の集塵室に着脱自在な集塵ケースとを備えた電気掃除機において、前記集塵ケースは、吸込口と、前記吸込口が形成された側とは反対側へ凹んだ立体的形状を有し、前記集塵ケースに対して開閉可能で、前記吸込口から吸い込まれた塵埃を捕集する捕集手段と、前記捕集手段が前記集塵ケースに対して閉じた状態において、前記捕集手段を構成する側壁部の近傍でかつ前記側壁部に沿う方向に突出する突出手段と、を備えたことを特徴とする。
【発明の効果】
【００１３】
本発明によれば、塵埃を捨て易く、使い勝手のよい電気掃除機が得られる。
また、本発明によれば、塵埃を捨て易く、使い捨て式の集塵濾紙を集塵収容器内に好適に配置できる電気掃除機が得られる。
【図面の簡単な説明】
【００１４】
【図１】本実施形態の電気掃除機を示す外観斜視図である。
【図２】電気掃除機本体に集塵ケースを収容する際の様子を示した斜視図である。
【図３】集塵ケースを示した外観斜視図である。
【図４】集塵ケースの断面図である。
【図５】蓋部材を開いた状態の集塵ケースを示した斜視図である。
【図６】開いた状態の塵埃収容器を示した斜視図である。
【図７】蓋部材を開いた状態の集塵ケースを示した断面図である。
【図８】蓋部材を開いた状態の集塵ケースを示した正面図である。
【図９】フィルタ部材を開いた状態の集塵ケースを背面側から見た斜視図である。
【図１０】蓋部材を開いた状態の集塵ケースの底部分の様子を示した拡大断面図である。
【図１１】（ａ）（ｂ）は集塵ケースに対する塵埃収容器の係脱を示す断面図である。
【図１２】塵埃収容器の他の例を示す外観斜視図である。
【発明を実施するための形態】
【００１５】
以下、本発明の実施形態について添付図面を参照して説明する。
図１に示すように、電気掃除機１は、掃除機本体２と、ホース３と、手元操作ＳＷ等が設けられた操作管４と、継手管（管）としての延長管５と、第１、第２の吸込具６、７とを備えて構成されている。第１の吸込具７の根元部に第２の吸込具６の先端部が接続され、第２の吸込具６の根元部に延長管５の先端部が接続され、延長管５の根元部に操作管４の先端部が接続され、操作管４の根元部にホース３が接続され、ホース３の根元部が掃除機本体２に前端部に接続される。なお、第２の吸込具６は、延長管５と操作管４との間に接続されてもよく、なくてもよい。
掃除機本体２の内部には、吸引力を発生させる図示しない電動送風機や、この電動送風機の吸引力で吸引した塵埃を捕集する集塵ケース１０（図２参照）等が内蔵されており、操作管４に設けられた手元操作ＳＷの操作等によって電動送風機の運転の強弱等が切り替えられるようになっている。
なお、以下の説明で各部の方向を言うときには、図２に示す方向を基準とする。
【００１６】
図２に示すように、掃除機本体２の上面には、開閉自在な蓋体２ａが設けられており、蓋体２ａを開くことにより、集塵ケース１０が収容される収容室２ｂが露出するようになっている。集塵ケース１０は、この収容室２ｂに対して着脱自在に設けられており、清掃終了後等に定期的に収容室２ｂから取り出される。そして、集塵ケース１０の内部に捕集された塵埃がごみ箱等に捨てられる。収容室２ｂは、掃除機本体２の内部の前側に形成され、電動送風機は、掃除機本体２の内部の後側に配置される。
なお、蓋体２ａは、集塵ケース１０の出し入れ時に開かれ、掃除運転中は、閉じられている。収容室２ｂに対する集塵ケース１０の着脱方向は、略上下方向である。
【００１７】
集塵ケース１０は、図３に示すように、筒状のケース部材１１と、このケース部材１１の前部に回動可能に設けられた蓋部材１２とを備え、ケース部材１１の内部に、空気と塵埃とを分離する第１のフィルタとして機能する塵埃収容器２０（図４参照）を備えている。また、ケース部材１１の後部にフィルタ部材１５（図４参照）が設けられている。ケース部材１１の前部開口（開口部１１ｂ）は、蓋部材１２によって閉塞され、ケース部材１１の後部開口は、フィルタ部材１５によって閉塞される。
蓋部材１２は、図５に示すように、ケース部材１１の前端下部に設けられたヒンジ部１１ａ周りに回動可能に設けられており、ケース部材１１の上面前部に設けられた蓋開き解除用の操作ボタン１３（図３参照）を操作することによって、前方へ倒れるようにして回動し、ケース部材１１の開口部１１ｂを開くようになっている。そして、蓋部材１２が開かれた状態で、開口部１１ｂを通じて、塵埃収容器２０が突出するようになっている。なお、開口部１１ｂから塵埃収容器２０が突出した状態で、塵埃収容器２０の後部側は、集塵ケース１０内に位置している。ただし、開口部１１ｂから塵埃収容器２０が突出した状態で、塵埃収容器２０の後部側も、集塵ケース１０外に位置していてもよい。つまり、開口部１１ｂから塵埃収容器２０が突出した状態で、塵埃収容器２０の全体が集塵ケース１０外に位置していてもよい。また、蓋部材１２は、ケース部材１１の前端下部に設けられたヒンジ部１１ａ周りに回動可能に設けられる代わりに、ケース部材１１の前端上部に設けられたヒンジ部周りに回動可能に設けられてもよい。
蓋部材１２の中央部には、円形の流入口（吸込口）１２ａ（図３参照）が開口形成されている。この流入口１２ａは、ホース３に連通しており、この流入口１２ａを通じて、塵埃を含む空気が集塵ケース１０内に流れ込むようになっている。
【００１８】
操作ボタン１３は、図３に示すように、略中央部において左右に突設された図示しない支軸部を支点として揺動可能に設けられており、後端に設けられた押圧操作部１３ａを指で押すことにより、前端側に設けられた図示しないフック部が蓋部材１２の前面上端に設けられた図示しない溝部から外れて、蓋部材１２が開くようになっている。
このような操作ボタン１３の前端上面には、凸条の係合リブ１３ｂが設けられている。この係合リブ１３ｂは、蓋部材１２に回動自在に設けられたシャッター体１４の枠部１４ａに係合可能である。
【００１９】
シャッター体１４は、蓋部材１２の流入口１２ａを開閉する部材であり、掃除機本体２（図２参照、以下同じ）に集塵ケース１０が収容された状態では、突出部１４ｂが押圧されることにより枠部１４ａが操作ボタン１３の前端上方に位置するように構成されている。これによって、集塵ケース１０を掃除機本体２から取り出す際に把持部１６を把持する手で誤って押圧操作部１３ａが押圧操作されても、操作ボタン１３の揺動が規制され、前記したフック部と溝部との係合が維持される。したがって、集塵ケース１０を掃除機本体２から取り出す際に不意に蓋部材１２が開くことが防止されている。ただし、シャッター体１４は、必須の構成ではない。また、塵埃収容器２０に堆積した塵埃が、流入口１２ａからこぼれ落ちないように、流入口１２ａの開口を閉塞する逆止弁を設けてもよい。逆止弁は、ゴムなどの弾性材料からなるのが好ましい。逆止弁は、扇状の３枚の弁と円筒状の筒部からなり、各弁の円弧部分が筒部の内面に揺動自在に支持される。流入口１２ａから空気が流入していない状態では、逆止弁が流入口１２ａの開口を閉じた状態にあり、流入口１２ａから空気が流入する状態では、風圧によって逆止弁が弾性力に逆らって下流側つまり集塵ケース１０の内部側へ弾性変形する。これによって、流入口１２ａから空気が流入する状態では、流入口１２ａが開かれる。
【００２０】
また、蓋部材１２の内側（集塵ケース１０の内部側）には、図４，図５，図８に示すように、塵埃収容器２０に向けて突出する２つの突出部１２ｂ，１２ｂが設けられている。突出部１２ｂ，１２ｂは、蓋部材１２が閉じられた状態で、上方方向に薄く、左右方向および前後方向に広い平板状を呈しており、図５に示すように、蓋部材１２の内側面における流入口１２ａの左右側方部位から蓋部材１２の内側面に対して略垂直に突設されている。よって、突出部１２ｂ，１２ｂは、略前後方向つまり略水平方向に突設されている。突出部１２ｂ，１２ｂは、平板状の代わりに、棒状であってもよい。突出部１２ｂ，１２ｂは、蓋部材１２の内側面から遠ざかるにつれて（先端部１２ｃ，１２ｃに向かうにつれて）、細くなる形状であってもよい。また、突出部１２ｂ，１２ｂは、蓋部材１２の内側面から遠ざかるにつれて（先端部１２ｃ，１２ｃに向かうにつれて）、左右方向に幅広となる形状であってもよい。
このような突出部１２ｂ，１２ｂは、図４に示すように、蓋部材１２をケース部材１１に閉じた状態で、塵埃収容器２０の下側壁部２１の上方近傍位置で下側壁部２１の内側（内側面）に沿うようにして配置されるようになっている。なお、突出部１２ｂ，１２ｂの先端部１２ｃ，１２ｃは、やや上方へ向けて折曲されており、下側壁部２１に沿う形状とされている。各突出部１２ｂ，１２ｂは、図８に示すように、中央部よりも、左側壁部２３あるいは右側壁部２４の近傍に配置されるのが好ましい。２つの突出部１２ｂ，１２ｂの間隔が、先端部１２ｃ，１２ｃに向かうに従って拡がるように、各突出部１２ｂ，１２ｂの形状および方向を形成してもよい。突出部１２ｂ，１２ｂの先端部１２ｃ，１２ｃは、下側壁部２１または後側壁部２２に接触してもよいし、非接触でもよい。下側壁部２１は、蓋部材１２の内側面に対して垂直方向に形成されているのではなく、後側壁部２２に近くなるに従って上側に位置するように、蓋部材１２の内側面に対して斜め上方向に形成されている。よって、突出部１２ｂ，１２ｂが下側壁部２１に沿う方向とは平行ではなく、やや斜めの方向である。
本実施形態では、蓋部材１２が開閉するときの回動方向と塵埃収容器２０がケース部材１１に対して出没するときの回動方向とが略同一となるように、ヒンジ部１１ａの支軸と塵埃収容器２０の支軸２１ａ（回動支点）とを同一方向で近接配置してある。これによって、蓋部材１２の閉動作に伴って、突出部１２ｂ，１２ｂが塵埃収容器２０内にスムーズに挿入されるようになっている。突出部１２ｂ，１２ｂの作用については後記する。
【００２１】
塵埃収容器２０（集塵かご）は、図４に示すように、ケース部材１１内に配置され、大きめの粗塵を捕集するメッシュ状のフィルタ２０ａを各面に有している。塵埃収容器２０の形状は、枠体（支骨）によって形成される。塵埃収容器２０の開口面以外の底面（後側壁部２２）、上下左右面に、金属やナイロンなどで構成されたフィルタ２０ａが被覆または貼着されているのが好ましい。  塵埃収容器２０は、前側が開口し奥側が閉じられる容器状を呈しており（空気の流れ方向の上流側が開口し、下流側が閉じられた形状を呈しており）、蓋部材１２の流入口１２ａ側に開口が向けられて、流入口１２ａから流入してくる塵埃を捕集するようになっている。塵埃収容器２０は、図６に示すように、流入口１２ａ（図４参照）が形成された側とは反対側へ凹んだ立体的形状を有し、側壁部として、下側壁部２１と、後側壁部２２と、左側壁部２３と、右側壁部２４と、上側壁部２５とを備えている。塵埃収容器２０の形状は、一つの面が開口したかご形状，立体的形状，箱形状または容器形状であってもよいし、ちりとり形状であってもよい。塵埃収容器２０の断面形状は、略四角形状であってもよいし、略円形状であってもよいし、略三角形状であってもよい。塵埃収容器２０の断面形状は、開口面から底面へ向かって、小さくなるのが好ましい。本実施形態では、これらの側壁部のうち、上側壁部２５が、隣接する後側壁部２２の上辺部を支点として回動自在に設けられており、ケース部材１１の開口部１１ｂから塵埃収容器２０が突出した状態で、上方向に向けて上側壁部２５が開くように構成されている（図５参照）。また、相対的に下側壁部２１、後側壁部２２、左側壁部２３および右側壁部２４が、下方向に向けて開くように構成されている。上側壁部２５の回動支点に、後側壁部２２に対して上側壁部２５が開く方向に付勢するばね部材を設けてもよい。
なお、塵埃収容器２０は、集塵ケース１０に収め戻されることで、下方向に向けて上側壁部２５が閉じるように構成されている。
【００２２】
なお、上側壁部２５は、図４に示すように、塵埃収容器２０において、回動支点（支軸２１ａ）が設けられる側と対向する側に位置している。
そして、塵埃収容器２０は、ケース部材１１の底面に装着される基部２６（図６参照）を有しており、この基部２６と下側壁部２１との間に装着されたばね部材３０（図７参照、以下同じ）を介して基部２６に回動可能に支持されている。ばね部材３０は、塵埃収容器２０をケース部材１１の開口部１１ｂに向けて押し出す方向に付勢する。ただし、ばね部材３０は必須の構成ではない。ばね部材３０がない場合は、重力によって塵埃収容器２０がケース部材１１から突出することとなる。
なお、下側壁部２１は、図６に示すように、下側壁部２１の左右下部に設けられた支軸２１ａ，２１ａが基部２６の左右側部２６ａ，２６ａに設けられた支持孔２６ｂ，２６ｂ（一方のみ図示）に軸支されることで、基部２６に対して回動自在に設けられている。
【００２３】
このような塵埃収容器２０は、基部２６と一体的にケース部材１１から取り外すことができる。したがって、簡単に清掃することができる。また、塵埃収容器２０を水洗いしたい場合も、ケース部材１１から取り外した状態で簡単に水洗いが可能で、乾燥する時間も比較的短時間で済む。
【００２４】
下側壁部２１、後側壁部２２、左側壁部２３および右側壁部２４は、図６に示すように、一体的に連結されて塵埃収容器２０の一部を構成しており、これらが連結されることによって前面側および上面側（上側壁部２５が設けられる側）の２面が開口された収容器を構成している。
上側壁部２５における後辺部２５ｃの左右側部には、それぞれの側方へ向けて支軸２５ｂ，２５ｂが突設されている。一方、隣接する後側壁部２２の左右上端部には、受け部２２ｂ，２２ｂが立設されており、この受け部２２ｂ，２２ｂに支軸２５ｂ，２５ｂが支持されて、後側壁部２２の上辺部周りに上側壁部２５が回動自在に設けられている。
【００２５】
図４に示すように、上側壁部２５の後辺部２５ｃには、斜め後方へ向けて板状の規制ストッパ２５ａが突設されている。この規制ストッパ２５ａは、ケース部材１１の上部内壁に設けられた規制部１１ｄに当接するようになっている。つまり、塵埃収容器２０がケース部材１１の開口部１１ｂに向けて押し出されるときの、規制ストッパ２５ａの回動軌跡に規制部１１ｄが位置している。
【００２６】
これによって、塵埃収容器２０がばね部材３０の付勢力によって突き出される方向に回動すると、図７に示すように、規制ストッパ２５ａが規制部１１ｄに当接して回動が規制され、最終的には、上側壁部２５が隣接する後側壁部２２の上辺部を支点として（上側壁部２５の後辺部２５ｃを支点として）、上方向に開く状態となりつつ回動が規制される。つまり、塵埃収容器２０は、塵埃を捕集するときの空気の流れの方向とは逆の方向に回動されて（突き出されて）開かれるようになっており、これによって、塵埃収容器２０内に捕集された塵埃をごみ箱等に容易に捨てることができるようになっている。
【００２７】
なお、塵埃収容器２０は、ばね部材３０の付勢力によって突き出される際に、蓋部材１２を内側から押圧して押し開けるようになっている。つまり、操作ボタン１３を押圧操作するというひとつの操作で、蓋部材１２を開くことと塵埃収容器２０の突き出しとを並行して行うことができる。ばね部材３０の付勢力によって、例えば、塵埃収容器２０が水平方向に保持された状態でも、操作ボタン１３を押圧操作するというひとつの操作で、蓋部材１２を開くことができる。
【００２８】
図９に示すように、ケース部材１１の後部に設けられたフィルタ部材１５は、例えば、波形のプリーツ加工されたフィルタ１５ｂを備えており、ケース部材１１の下部に設けられたヒンジ１５ａによりケース部材１１に対して開閉自在に設けられている。通常、フィルタ部材１５は、ケース部材１１の上部に設けられた係止部１７のフック１７ａによって閉状態に係止されている。
このフィルタ部材１５は、塵埃収容器２０を通過した細かな微細塵を濾過捕集する第２のフィルタとして機能するようになっている。よって、塵埃収容器２０のフィルタ２０ａの目開きは、フィルタ部材１５のフィルタ１５ｂの目開きよりも粗い（大きい）。
【００２９】
次に、塵埃収容器２０に捕集した塵埃を捨てる際の作用について説明する。
塵埃をごみ箱等に捨てる際に、操作ボタン１３の押圧操作部１３ａを押圧操作すると、図示しないフック部が蓋部材１２の溝部から外れ、蓋部材１２が開かれる。このとき、蓋部材１２は、ばね部材３０により付勢された塵埃収容器２０によって前方へ押圧され、ヒンジ部１１ａを中心として回動して開く（図５参照）。これとともに、ばね部材３０によって前方へ突き出された塵埃収容器２０は、図７に示すように、規制ストッパ２５ａが規制部１１ｄに当接して回動が規制されるとともに、上側壁部２５がその後辺部２５ｃを支点として上方向に開かれる。これとともに、上側壁部２５を除く各側壁部が一体となって下方向に開かれる。これによって、塵埃収容器２０の内側に捕集された塵埃が前方に放り出され、塵埃が排出される。
【００３０】
ここで、一般的に、例えば綿ゴミ等の軽くてフワフワした繊維塵は、塵埃収容器２０を通過する空気流により、圧縮された固まりとなり易い。また、塵埃収容器２０内で圧縮されて固まりとなった繊維塵により、塵埃収容器２０に流入した微細な塵埃の一部も捕集される。これらの、圧縮された塵埃の固まりは、電気掃除機１の運転を停止すると空気流による圧縮力が無くなるため、拡がり易く、塵埃の固まりの体積が大きくなり易い。
【００３１】
本実施形態の塵埃収容器２０では、後側から塵埃廃棄口となる前側開口に向かって拡がる形状を呈しており、しかも、溜まった塵埃を捨てる際に上側壁部２５が塵埃廃棄口を拡げるように開放するので、塵埃収容器２０に収容して圧縮された塵埃の固まりが拡がった場合でも、塵埃廃棄口から容易に排出することができる。
【００３２】
また、蓋部材１２の内側には、塵埃収容器２０に向けて突出する突出部１２ｂ，１２ｂが設けられているので、蓋部材１２を閉じた際に、塵埃収容器２０の下側壁部２１に沿って重なるように位置し、塵埃を捨てる際の蓋部材１２が開く動きに追従して、突出部１２ｂ，１２ｂが塵埃を塵埃収容器２０内からかき出すように作用する。これによって、さらに塵埃を容易に排出することができる。
【００３３】
ここで、このような塵埃収容器２０の内側にティッシュペーパー等の使い捨て式の集塵濾紙を配置したときの作用について説明する。
ティッシュペーパーＴ等（図４にのみ図示、以下同じ）は、集塵ケース１０を掃除機本体２に取り付ける前に、蓋部材１２を開けた状態で塵埃収容器２０内に装着する。なお、ティッシュペーパーＴは、使い捨て式の集塵濾紙に相当し、例えば、コンビニエンスストア等で日用品として販売されているものでよい。
【００３４】
蓋部材１２が開いた状態では、塵埃収容器２０が開口部１１ｂから突出して、上側壁部２５が上方向に開いているとともに、上側壁部２５以外の側壁部が一体的に下方向に開くようになっているので、側壁部が開かない構成のものに比べて開口が広くなり、平坦なティッシュペーパーＴ等を塵埃収容器２０の内面に沿わせて配置することができる。
【００３５】
また、蓋部材１２を閉じる際に、蓋部材１２に設けられた突出部１２ｂ，１２ｂが、塵埃収容器２０の下側壁部２１に沿うようにして塵埃収容器２０内に挿入される。これによって、ティッシュペーパーＴ等は、突出部１２ｂ，１２ｂと下側壁部２１との間に挟まれるようにして押し込まれ、かつ、下側壁部２１に沿うようにして整えられる。したがって、平坦なティッシュペーパーＴ等を塵埃収容器２０の内面に好適に沿わせて配置することができる。したがって、ティッシュペーパーＴ等を塵埃収容器２０内に好適に押し込むことができ、塵埃吸引時にティッシュペーパーＴ等が破けるのを防ぐことができる。
【００３６】
また、蓋部材１２を閉じる操作を行うことにより、突出部１２ｂ，１２ｂが塵埃収容器２０の下側壁部２１を押圧して塵埃収容器２０がケース部材１１内に没する方向に回動することとなるので、蓋部材１２を閉じる操作を行えば、ティッシュペーパーＴ等の好適な配置とともに、塵埃収容器２０の収容を並行して行うことができる。
【００３７】
このようにした後、ケース部材１１を掃除機本体２に取り付け、電気掃除機１を運転して清掃を行えば、塵埃収容器２０内に吸引された塵埃は、塵埃収容器２０の上流に配置したティッシュペーパーＴ等およびその上流側に、大部分が堆積する。
【００３８】
この場合においても、塵埃収容器２０に吸引された塵埃は、空気流により圧縮された固まりとなり易いので、塵埃収容器２０の上流で、しかも塵埃収容器２０の凹部に配したティッシュペーパーＴ等に包まれた状態となる。
【００３９】
したがって、蓋部材１２を開いて塵埃を排出する際にも、ほとんどの塵埃は、ティッシュペーパーＴ等に包まれた固まり状の状態となって排出されることとなる。
【００４０】
なお、図１０に示すように、塵埃収容器２０のフィルタ２０ａを通過した微細な塵埃は、ケース部材１１の後部のフィルタ部材１５の上流側に付着する。付着した微細な塵埃は掃除機の運転が終了すると落下してケース部材１１内に堆積する。下部に堆積した微細な塵埃は、基部２６とケース部材１１との間に形成された通路Ｒを通って矢印のように進み、塵埃収容器２０の前面側から排出される。
【００４１】
次に、塵埃収容器２０を取り外す場合の操作について説明する。ここで、図１１（ａ）に示すように、ばね部材３０は、塵埃収容器２０をＸ１方向の付勢力で開口部側に向かって付勢しているが、同時に、Ｘ２方向に向かって基部２６をも付勢している。これにより、基部２６の後端部２６ｃがケース部材１１の段部１１ｅに確実に係止され、ケース部材１１に塵埃収容器２０が脱落不能に係止されるようになっている。
【００４２】
塵埃収容器２０を取り外す場合には、図１１（ｂ）に示すように、Ｙ１方向に向かって基部２６を指で押圧する。そうすると、基部２６が浮き上がり、基部２６が開口部側へ移動可能となる。これによって、ケース部材１１から塵埃収容器２０を取り外すことができる。この場合、Ｙ１方向へ力を加えたときの反力としてばね部材３０のＸ２方向の付勢力を利用しているので、バタつくことがなく、安定した状態で塵埃収容器２０を取り外すことができる。
なお、塵埃収容器２０への付勢力と基部２６への付勢力とを１つのばね部材３０で行っているので、これらを別々のばね部材で行った場合に比べて部品点数を削減することができる。このように、塵埃収容器２０のメンテナンスを、集塵ケース１０から取り出して行うことができるので、メンテナンスが容易である。また、ケース部材１１の内部掃除等も容易に行うことができる。
【００４３】
以下に本実施形態の作用効果について説明する。
（１）本実施形態の塵埃収容器２０では、後側から塵埃廃棄口となる前側開口に向かって拡がっており、しかも、溜まった塵埃を捨てる際に上側壁部２５が塵埃廃棄口を拡げるように開放するので、塵埃収容器２０に収容した圧縮された塵埃の固まりが拡がった場合でも塵埃廃棄口から容易に排出することができる。したがって、塵埃を捨て易く、衛生的で使い勝手がよい電気掃除機１が得られる。
（２）塵埃収容器２０に吸引された塵埃は、空気流により圧縮された固まりとなり易く、塵埃収容器２０から塵埃廃棄口を通じて排出する際も固まり状となって排出されるので、塵埃収容器２０のメッシュ状のフィルタ２０ａには、塵埃の付着や絡み付きが少なくなり、目詰まりが生じにくい。このため、塵埃収容器２０に溜った塵埃を捨てるだけで、フィルタ２０ａの除塵の手間を省くことができる。
（３）塵埃収容器２０内で圧縮されて固まりとなった繊維塵により、塵埃収容器２０に流入した粉塵などの微細な塵埃の一部も捕集され、繊維塵が微細な粉塵を包んでいるので、塵埃収容器２０に溜った塵埃を捨てる際に、細塵の舞い上がりが生じず衛生的である。
（４）フィルタ２０ａの目詰まりが生じにくいので、電気掃除機１を運転した際の風量の低下を抑えることができ、吸引力の低下を抑えることができるので、被清掃面の塵埃を吸引する能力の低下を抑えることができる。
（５）塵埃を捨てる際の蓋部材１２が開く動きに追従して、突出部１２ｂ，１２ｂが塵埃を塵埃収容器２０内からかき出すため、さらに塵埃を容易に排出することができる。特に、蓋部材１２をケース部材１１に閉じた状態で、突出部１２ｂ，１２ｂが塵埃収容器２０の下側壁部２１の上方近傍位置で下側壁部２１の内側（内側面）に沿うようにして配置されることにより、圧縮された塵埃の塊の大部分が突出部１２ｂ，１２ｂよりも上側に堆積することになる。蓋部材１２が下端を支点に回動するため、蓋部材１２が開く動きに追従して、突出部１２ｂ，１２ｂが変位して突出部１２ｂ，１２ｂが、塵埃の大部分をかき出すこととなる。さらに、突出部１２ｂ，１２ｂは、蓋部材１２の内側面に対して略垂直に形成され、かつ、平板状を呈していることにより、突出部１２ｂ，１２ｂが回動する方向に略垂直な方向にある程度広い面積を有するため、蓋部材１２が開く動きに追従して、突出部１２ｂ，１２ｂが変位する場合に、突出部１２ｂ，１２ｂが、塵埃を補足し易くなる。さらに、突出部１２ｂ，１２ｂの先端部１２ｃ、１２ｃが、わずかに上方に向けて折曲していることにより、蓋部材１２が開く動きに追従して、突出部１２ｂ，１２ｂが変位する場合に、突出部１２ｂ，１２ｂの先端部１２ｃ、１２から塵埃がこぼれ落ちるのを抑制することができ、塵埃を補足し易くなる。さらに、突出部１２ｂ，１２ｂが、平板状を呈していることにより、２つの突出部１２ｂ，１２ｂの間に塵埃が挟まれるのを抑制でき、蓋部材１２が開く動きに追従して突出部１２ｂ，１２ｂが変位した場合に、突出部１２ｂ，１２ｂから塵埃が離れ易くなる。
（６）上側壁部２５は、塵埃収容器２０において、回動支点（支軸２１ａ）が設けられる側と対向する側に位置しているので、このような位置とされない場合に比べて、上下方向に塵埃収容器２０を大きく開くことができる。
（７）蓋部材１２が開いた状態では、塵埃収容器２０が開口部１１ｂから突出して、上側壁部２５が上方向に開いているとともに、上側壁部２５以外の側壁部が一体的に下方向に開くようになっているので、平坦なティッシュペーパーＴ等を塵埃収容器２０の内面に沿わせて配置し易い。
（８）蓋部材１２を閉じる操作を行うことにより、これと並行して突出部１２ｂ，１２ｂが塵埃収容器２０の下側壁部２１を押圧して、塵埃収容器２０をケース部材１１内に収容することができる。上側壁部２５は、塵埃収容器２０において、回動支点が設けられる側と対向する側に位置しているので、蓋部材１２を閉じる操作を行うことにより、塵埃収容器２０の前端が蓋部材１２の内側面によって押される際に、上側壁部２５が閉じ易いため、突出部１２ｂ，１２ｂがない場合でも、塵埃収容器２０をケース部材１１内に容易に収容することができる。
（９）蓋部材１２を閉じる操作を行うことにより、突出部１２ｂ，１２ｂで、ティッシュペーパーＴ等を塵埃収容器２０内に好適に（塵埃収容器２０の内面に沿うように）押し込むことができ、塵埃吸引時にティッシュペーパーＴ等が破けるのを防ぐことができる。特に、突出部１２ｂ，１２ｂの先端部１２ｃ、１２ｃが、下側壁部２１あるいは後側壁部２２の近傍にまで達していることにより、ティッシュペーパーＴ等を塵埃収容器２０内に好適に押し込むことができる、さらに、突出部１２ｂ，１２ｂの先端部１２ｃ、１２ｃが折曲していることにより、ティッシュペーパーＴ等を塵埃収容器２０内に押し込む際に、突出部１２ｂ，１２ｂの先端部１２ｃ、１２ｃによってティッシュペーパーＴ等が破れるのを抑制できる。なお、突出部１２ｂ，１２ｂがない場合は、利用者の手によって、ティッシュペーパーＴ等を塵埃収容器２０内に押し込むのが好ましい。
（１０）ティッシュペーパーＴ等の好適な配置とともに、塵埃収容器２０の収容を並行して行うことができる。
（１１）ティッシュペーパーＴ等を好適に配置することができるので、蓋部材１２を開いて塵埃を排出する際にも、ほとんどの塵埃は、ティッシュペーパーＴ等に包まれた固まり状の状態となって排出されることとなり、塵埃の舞い上がりが生じず衛生的である。
（１２）塵埃収容器２０のティッシュペーパーＴ等を配することによって、塵埃収容器２０のフィルタ２０ａに塵埃が付着し難くなるとともに、フィルタ２０ａの目詰まりを防ぐことができるので、吸引力の低下を防ぐことができる。
【００４４】
ここで、受け部２２ｂ，２２ｂと支軸２５ｂ，２５ｂとの支持部分（支点）は、塵埃収容器２０がケース部材１１から突出した状態で、ケース部材１１の外部（開口を通じて外側）に位置するように構成してもよい。
このように構成することによって、塵埃収容器２０の上側壁部２５を上方向にさらに大きく開くことができるようになり、塵埃収容器２０のフィルタ２０ａに塵埃が付着した場合でも、これをハケなどで簡単に清掃することができる。
【００４５】
また、図１２に示すように、塵埃収容器２０’の上側壁部２５だけでなく、下側壁部２１、左側壁部２３および右側壁部２４を後側壁部２２の各辺部を支点として開閉可能に構成してもよい。つまり、塵埃収容器２０’が集塵ケース１０から突出した状態では、略平面状に展開されることとなる。
このように構成することによって、塵埃収容器２０’の各側壁部が完全に開放するため、塵埃収容器２０’に収容した圧縮された塵埃の固まりが拡がった場合でも、塵埃廃棄口から容易に排出することができ、さらに塵埃収容器２０’内の清掃も容易になる。
【００４６】
なお、支点部分には、図示しないヒンジを設けてもよく、また、支点部分の肉厚を薄く形成することによって、薄く形成した部分から折れ曲り自在に構成してもよい。また、少なくとも１つの辺部に図示しないばね部材を介在させて、対応する側壁部が開く方向に付勢されるように構成してもよい。
【００４７】
また、開閉可能な側壁部を単独で、あるいは適宜組み合わせて構成してもよい。
さらに、塵埃収容器２０（２０’）の形状や、側壁部の数等は、任意に設定することができる。
塵埃収容器２０は、蓋部材１２とケース部材１１との間に挟み込まれてケース部材１１内に設けられる代わりに、特許文献１のように、ケース部材１１とフィルタ部材１５との間に挟み込まれるように設けられてもよい。
【符号の説明】
【００４８】
１      電気掃除機
１０    集塵ケース
１２    蓋部材
１２ａ  流入口
１２ｂ  突出部
２０    塵埃収容器（捕集手段）
２１    下側壁部
２２    後側壁部
２３    左側壁部
２４    右側壁部
２５    上側壁部
２５ｃ  後辺部（辺部）
３０    ばね部材
【図１】
2011182922.tif 000003
【図２】
2011182922.tif 000004
【図３】
2011182922.tif 000005
【図４】
2011182922.tif 000006
【図５】
2011182922.tif 000007
【図６】
2011182922.tif 000008
【図７】
2011182922.tif 000009
【図８】
2011182922.tif 000010
【図９】
2011182922.tif 000011
【図１０】
2011182922.tif 000012
【図１１】
2011182922.tif 000013
【図１２】
2011182922.tif 000014